(57)【要約】      （修正有）【課題】拭い取り方向の転換を検知する方法を提供する。その方法は、従来のフロントガラスワイパーブレードに置き換わる液体噴射装置を備えたワイパーを車両に取り付けるために実施する。【解決手段】ワイパーシステムの駆動アームによって駆動され、拭い取り方向が転換される２つの位置の間で、拭き取り対象の窓の外側の面の少なくとも一部分を拭い取る往復動作を行う少なくとも１本のフロントガラスワイパーブレードと、外側の面に液体を噴射する噴射装置と、噴射装置に液体を供給する供給ポンプと、拭い取り方向に応じて、供給ポンプによる噴射装置への供給を制御する制御回路と、を備え、フロントガラスワイパーの加速度の値を示す信号を制御回路に送るために、フロントガラスワイパーによって保持されるとともに制御回路３４に接続された、フロントガラスワイパーの加速度センサＣＡを備えることを特徴とする、車両の窓を拭くワイパーシステム。【選択図】図４
2019011050.tif 000002
【特許請求の範囲】
【請求項１】
−ワイパーシステムの駆動アーム（１６）によって駆動され、拭い取り方向が転換される２つの位置の間で、拭き取り対象の窓の外側の面の少なくとも一部分を拭い取る往復動作を行う少なくとも１本のフロントガラスワイパーブレード（１４）と、
−前記外側の面に液体を噴射する噴射装置（１８）と、
−前記噴射装置（１８）に液体を供給する供給ポンプと、
−前記拭い取り方向に応じて、前記供給ポンプ（３８）による前記噴射装置（１８）への供給を制御する制御回路（ＣＰ）と、を備え、
前記往復拭い取り動作中に前記駆動アーム（１６）またはフロントガラスワイパー（１１）の前記フロントガラスワイパーブレード（１４）の加速度の値を示す信号を前記制御回路（ＣＰ）に送るために、前記駆動アーム（１６）または前記フロントガラスワイパーブレード（１４）によって保持されるとともに前記制御回路（ＣＰ）に接続された、前記フロントガラスワイパー（１１）の加速度センサ（ＣＡ）を備えることを特徴とする、車両の窓（１２）を拭くワイパーシステム（１０）。
【請求項２】
前記制御回路（ＣＰ）が、前記加速度センサ（ＣＡ）から送られる前記信号を分析し、前記フロントガラスワイパー（１１）の前記拭い取り方向の転換を検知する手段を備えることを特徴とする、請求項１に記載のワイパーシステム。
【請求項３】
前記フロントガラスワイパー（１１）が、前記フロントガラスワイパーブレード（１４）と、前記往復拭い取り動作中に前記フロントガラスワイパーブレード（１４）を駆動する前記駆動アーム（１６）とを備え、前記加速度センサ（ＣＡ）が前記フロントガラスワイパーブレード（１４）または前記フロントガラスワイパー（１１）によって保持されることを特徴とする、請求項１に記載のワイパーシステム。
【請求項４】
前記噴射装置（１８）が、前記フロントガラスワイパーブレード（１４）の側面に沿って液体を噴射するように構成される、請求項３に記載のワイパーシステム。
【請求項５】
前記噴射装置（１８）が、前記フロントガラスワイパーブレード（１４）または前記駆動アーム（１６）によって保持されることを特徴とする、請求項４に記載のワイパーシステム。
【請求項６】
前記制御回路（ＣＰ）が、前記フロントガラスワイパーブレード（１４）または前記駆動アーム（１６）によって保持され、前記噴射装置（１８）が、前記フロントガラスワイパーブレード（１４）の側面に沿って前記フロントガラスに噴射するように構成されることを特徴とする、請求項３に記載のワイパーシステム。
【請求項７】
前記供給ポンプ（３８）が前記制御回路によって制御されることを特徴とする、請求項１に記載のワイパーシステム。
【請求項８】
前記制御回路（ＣＰ）に接続された前記供給ポンプ（３８）の駆動モータへの電力供給を制御する継電器（Ｒ）を備えることを特徴とする、請求項１に記載のワイパーシステム。
【請求項９】
−フロントガラスワイパー（１１）の加速度センサ（ＣＡ）と、
−窓に液体を噴射する噴射装置（１８）への液体の供給を制御する制御回路（ＣＰ）と、を保持し、
前記加速度センサ（ＣＡ）が前記制御回路に接続されることを特徴とする、自動車の窓のフロントガラスワイパー。
【請求項１０】
フロントガラスワイパーブレード（１４）と、前記フロントガラスワイパーブレード（１４）の往復拭い取り動作を駆動する駆動アーム（１６）とを備え、前記加速度センサ（ＣＡ）と前記制御回路（ＣＰ）が、前記フロントガラスワイパーブレード（１４）によって保持されることを特徴とする、請求項９に記載のフロントガラスワイパー。
【請求項１１】
前記噴射装置が前記フロントガラスワイパーブレード（１４）によって保持されることを特徴とする、請求項１０に記載のフロントガラスワイパー。
【請求項１２】
−フロントガラスワイパー（１１）の加速度センサ（ＣＡ）と、
−窓に液体を噴射する噴射装置（１８）への液体の供給を制御する制御回路（ＣＰ）と、を保持し、
前記加速度センサ（ＣＡ）が前記制御回路に接続されることを特徴とする、自動車のフロントガラスワイパーブレード（１４）。
【請求項１３】
前記噴射装置（１８）が前記フロントガラスワイパーブレード（１４）によって保持されることを特徴とする、請求項１２に記載のフロントガラスワイパーブレード。
【請求項１４】
−拭い取り方向が転換される２つの位置の間で、車両の窓の外側の面の少なくとも一部分を拭い取る往復動作を行うフロントガラスワイパーブレード（１４）を駆動する少なくとも１本の駆動アーム（１６）と、
−前記外側の面に液体を噴射する噴射装置（１８）と、
−前記噴射装置（１８）に液体を供給する供給ポンプ（３８）と、を備える車両の窓用のワイパーシステムの自動車への取り付け方を変更する方法であって、
−−液体を噴射するための複数の孔を有する前記フロントガラスワイパーブレード（１４）を前記駆動アーム（１６）に取り付けるとともに、前記フロントガラスワイパーブレード（１４）を前記供給ポンプ（３８）に接続することと、
−−前記駆動アーム（１６）または前記フロントガラスワイパーブレード（１４）に加速度センサ（ＣＡ）を取り付けることと、
−−前記拭い取り方向に応じて、前記供給ポンプ（３８）による前記噴射装置（１８）への供給を制御する、制御回路（ＣＰ）を前記車両に取り付けるとともに、前記往復拭い取り動作中に前記駆動アーム（１６）または前記フロントガラスワイパー（１１）の前記フロントガラスワイパーブレード（１４）の加速度の値を示す信号を前記制御回路（ＣＰ）に送る前記加速度センサ（ＣＡ）に、前記制御回路（ＣＰ）を接続することと、を含むことを特徴とする方法。
【請求項１５】
前記供給ポンプ（３８）の駆動モータ（Ｍ）への電力供給を制御する継電器（Ｒ）を前記車両に取り付けるとともに、前記継電器（Ｒ）を前記制御回路に接続することを含む、請求項１４に記載の取り付け方法。
【請求項１６】
前記制御回路（ＣＰ）を前記駆動アーム（１６）または前記フロントガラスワイパーブレード（１４）に据え付けることを含む、請求項１４に記載の取り付け方法。
【請求項１７】
前記制御回路（ＣＰ）がマイクロコントローラに一体化されることを特徴とする、請求項１４から１６のいずれか一項に記載の方法。
【発明の詳細な説明】
【技術分野】
【０００１】
本発明は、フロントガラスワイパーブレードと液体を窓の外側の面に噴射する装置とを備える自動車の窓を拭くためのシステムに関する。
【０００２】
さらに、本発明は、拭き取り・洗浄システムの自動車への取り付け方を変更する方法についても提案する。
【背景技術】
【０００３】
拭き取り対象の窓、特にフロントガラスの外側の面に、洗浄液等の液体を噴射する際には、液体が噴射されるフロントガラスの領域を拭き取るフロントガラスワイパーブレードが上方の外側に向かっているときにのみ液体を噴射し、特に下方に向かって戻っているときには視界を悪くする液体を噴射しないように制御できることが望ましい。
【発明の概要】
【発明が解決しようとする課題】
【０００４】
本発明の目的は、拭い取り方向の転換を検知する方法を提案することである。その方法は、特に従来のフロントガラスワイパーブレードに置き換わる液体噴射装置を備えたワイパーを車両に取り付けるために実施することができる。
【課題を解決するための手段】
【０００５】
本発明は、
−ワイパーシステムの駆動アームによって駆動され、拭い取り方向が転換される２つの位置の間で、拭き取り対象の窓の外側の面の少なくとも一部分を拭い取る往復動作を行う少なくとも１本のフロントガラスワイパーブレードと、
−外側の面に液体を噴射する噴射装置と、
−噴射装置に液体を供給する供給ポンプと、
−拭い取り方向に応じて、供給ポンプによる噴射装置への供給を制御する制御回路と、を備え、
往復拭い取り動作中に駆動アームまたはフロントガラスワイパーのフロントガラスワイパーブレードの加速度の値を示す信号を制御回路に送るために、駆動アームまたはフロントガラスワイパーブレードによって保持されるとともに制御回路に接続された、フロントガラスワイパーの加速度センサを備えることを特徴とする、車両の窓用のワイパーシステムを提案する。
【０００６】
このワイパーシステムの他の特徴によると、
−制御回路が、加速度センサから送られる信号を分析し、フロントガラスワイパーの拭い取り方向の転換を検知する手段を備え、
−フロントガラスワイパーが、フロントガラスワイパーブレードと、往復拭い取り動作中にフロントガラスワイパーブレードを駆動する駆動アームとを備え、加速度センサがフロントガラスワイパーブレードまたは駆動アームによって保持され、
−噴射装置が、フロントガラスワイパーブレードの側面に沿って液体を噴射するように構成され、
−噴射装置が、フロントガラスワイパーブレードまたは駆動アームによって保持され、
−制御回路が、フロントガラスワイパーブレードまたは駆動アームによって保持され、噴射装置が、フロントガラスワイパーブレードの側面に沿ってフロントガラスに噴射するように構成され、
−供給ポンプが制御回路によって制御され、
−ワイパーシステムが、制御回路に接続された供給ポンプの駆動モータへの電力供給を制御する継電器を備える。
【０００７】
さらに、本発明は、
−フロントガラスワイパーの加速度センサと、
−窓に液体を噴射する噴射装置への液体の供給を制御する制御回路と、を保持し、
加速度センサが制御回路に接続されることを特徴とする、自動車の窓のフロントガラスワイパーを提案する。
【０００８】
このフロントガラスワイパーの他の特徴によると、
−フロントガラスワイパーブレードと、フロントガラスワイパーブレードの往復拭い取り動作を駆動する駆動アームとを備え、加速度センサと制御回路がフロントガラスワイパーブレードによって保持され、
−噴射装置がフロントガラスワイパーブレードによって保持される。
【０００９】
さらに、本発明は、
−フロントガラスワイパーの加速度センサと、
−窓に液体を噴射する噴射装置への液体の供給を制御する制御回路と、を保持し、
加速度センサが制御回路に接続されることを特徴とする、自動車のフロントガラスワイパーブレードを提案する。
【００１０】
噴射装置は、例えばフロントガラスワイパーブレードによって保持される。
【００１１】
さらに、本発明は、
−拭い取り方向が転換される２つの位置の間で、車両の窓の外側の面の少なくとも一部分を拭い取る往復動作を行うフロントガラスワイパーブレードを駆動する少なくとも１本の駆動アームと、
−外側の面に液体を噴射する噴射装置と、
−噴射装置に液体を供給する供給ポンプと、を備える車両の窓用のワイパーシステムの自動車への取り付け方を変更する方法であって、
−−液体を噴射するための複数の孔を有するフロントガラスワイパーブレードを駆動アームに取り付け、このフロントガラスワイパーブレードを供給ポンプに接続することと、
−−駆動アームまたはフロントガラスワイパーブレードに加速度センサを取り付けることと、
−−拭い取り方向に応じて、供給ポンプによる噴射装置への供給を制御する、制御回路を車両に取り付けるとともに、往復拭い取り動作中に駆動アームまたはフロントガラスワイパーのフロントガラスワイパーブレードの加速度の値を示す信号を制御回路に送る加速度センサに制御回路を接続することと、を含むことを特徴とする方法を提案する。
【００１２】
この方法の他の特徴によると、
−供給ポンプの駆動モータへの電力供給を制御する継電器を車両に取り付けるとともに、この継電器を制御回路に接続することを含み、
−制御回路を駆動アームまたはフロントガラスワイパーブレードに据え付けることを含み、
−制御回路がマイクロコントローラに一体化される。
【００１３】
本発明の他の特徴および利点は、添付の図面を参照しながら下記の詳細な説明を読んで理解することにより明らかになる。
【図面の簡単な説明】
【００１４】
【図１】フロントガラスワイパーブレードが最下部の停止位置にある状態のワイパーシステムの一部の概略図である。
【図２】上方の外側に向かって拭き取りを行っている状態のフロントガラスワイパーブレードを示す図１に類似の図である。
【図３】フロントガラスワイパーブレードを駆動する補完部品および窓の洗浄液を噴射する補完部品と共に図１の要素を示す概略図である。
【図４】本発明の教示を採用したワイパーシステムを示す図３に類似の図である。
【図５】ワイパーシステムの別の設計を示す図４に類似の図である。
【図６】本発明のワイパーシステムの変形例を示す図５に類似の図である。
【図７】往復拭き取りサイクルの間、角位置に応じて変化するフロントガラスワイパーブレードの加速度を示すグラフである。
【図８】往復拭き取りサイクルの間、角位置に応じて変化するフロントガラスワイパーブレードの速度を示すグラフである。
【発明を実施するための形態】
【００１５】
以下、同一の構造または類似の機能を有する要素には同じ符号を付与する。
【００１６】
図１および図２には、車両のフロントガラス１２の外側の面等の自動車の窓用のワイパーシステム１０の一般的に知られている設計が概略的に示されている。
【００１７】
フロントガラスワイパーブレードシステムとしても知られているワイパーシステム１０は、２本のフロントガラスワイパー１１を備えており、各フロントガラスワイパー１１はフロントガラスワイパーブレード１４を備えている。両フロントガラスワイパーブレード１４がフロントガラス１２の外側の面の２箇所を拭き取ることができるように、両フロントガラスワイパー１１はフロントガラス１２に対する拭い取り動作を行いながら移動することができる。両フロントガラスワイパーブレード１４により拭き取られるフロントガラス１２の外側の面の２箇所は、別々の場所でも一部重なっていてもよい。
【００１８】
ここでは、各フロントガラスワイパーブレード１４は、往復拭い取り動作を行うことができる。
【００１９】
以下、一方のフロントガラスワイパー１１および一方のフロントガラスワイパーブレード１４について記載するが、他方のフロントガラスワイパー１１および他方のフロントガラスワイパーブレード１４についても同じことが言える。
【００２０】
フロントガラスワイパーブレード１４は、例えば「フラットブレード」のフロントガラスワイパーブレードとして知られている薄いフロントガラスワイパーブレードである。このフロントガラスワイパーブレードは、上部支持フレーム２０を備えている。上部支持フレーム２０は、下にあるワイパーブレードを保持し、フロントガラス１２の外側の面に対して押さえつける。これにより、フロントガラスワイパーブレード１４は、拭い取り動作のために駆動されると、特に外側の面にある水を拭き取ることができる。
【００２１】
この実施例では、フロントガラスワイパーブレード１４は、往復拭い取り動作中、すなわち軸Ａを中心として図１に示されている下方の停止位置と上方の最も高い拭き取り位置との間で往復回転をしているときに移動できるように組み付けられる。軸Ａは、拭き取り対象の外側の面に対してほぼ垂直に設けられる。フロントガラスワイパーブレード１４は、下方の停止位置においてフロントガラス１２の下端部１２ａと実質的に平行になり、上方の最も高い拭き取り位置においてフロントガラス１２を横切って延びる。
【００２２】
フロントガラスワイパーブレード１４は、駆動アーム１６により軸Ａを中心に回転するように駆動される。駆動アーム１６は、フロントガラスワイパーアームとも呼ばれ、車両の構成要素（図示せず）に対して軸Ａを中心に回転できるように組み付けられる。
【００２３】
往復拭い取り動作は、２つの段階に分けられる。フロントガラスワイパーブレード１４が下方の停止位置から上方の最も高い位置に向かって「外側に」すなわち「上方に」移動する第１段階と、フロントガラスワイパーブレード１４が上方の最も高い位置から下方の停止位置に向かって逆向きに「戻ってくる」すなわち下降する第２段階である。
【００２４】
よって、下方の停止位置と上方の最も高い位置において、拭い取り方向が転換される。
【００２５】
上記のワイパーシステムは、２枚のフロントガラスワイパーブレード１４が曇ったパネルを拭う往復動作を行うシステムに対応するものである。
【００２６】
さらに、ワイパーシステムは、フロントガラスワイパーブレードが往復動作を行わず窓の外側の面を拭うシステム、またはフロントガラスワイパーブレードが直線的に窓の外側の面を拭うシステムに対応するものであってもよい。従って、フロントガラスワイパーブレードの停止位置および最も高い位置は、選択されるワイパーシステムに応じて変更されうることに留意されたい。
【００２７】
ワイパーシステム１０は、洗浄液を噴射してフロントガラスワイパーブレード１４の拭き取りを補助する少なくとも１つのノズル１８をさらに備えている。
【００２８】
ここでは、ノズル１８は、フロントガラスワイパーブレード１４によって保持されている。
【００２９】
噴射ノズル１８は、パイプ（流体導管）２４により洗浄液供給装置（図１および図２には図示せず）に接続されている。
【００３０】
非制限的実施例として、ノズル１８は、フロントガラスワイパーブレード１４によって保持され、ここでは、回転軸Ａに最も近いフロントガラスワイパーブレード１４の端部１４ａのところに配置されている。
【００３１】
ノズル１８は、フロントガラスワイパーブレード１４にほぼ平行な噴射液２６として液体を噴射するように製造・構成されている。
【００３２】
さらに、噴射液２６は、フロントガラスワイパーブレードの「上流側」側面、つまりフロントガラスワイパーブレード１４が下方の停止位置にあるときにフロントガラス１２の上端部１２ｂを向く側面に沿って噴射される（図１参照）。
【００３３】
ノズル１８のフロントガラスワイパーブレード１４に対する方向は、例えば洗浄液の噴射液２６がワイパーブレードにまっすぐに沿って噴射されるように設定される。
【００３４】
沿わせる面は、フロントガラスワイパーブレード１４が外側に向かって拭い取り動作を行う第１段階にあるときに、最も高い拭い取り位置の方向を向くフロントガラスワイパーブレード１４の側面である。
【００３５】
このようなワイパーシステム１０を制御する方法は、拭き取りステップと洗浄液噴射ステップを複数回連続して行う拭き取り・洗浄サイクルを形成することを目的とする。
【００３６】
サイクルの各ステップは、フロントガラスワイパーブレード１４の往復動作となるため、上記の様にフロントガラスワイパーブレード１４が外側に向かう第１段階と戻ってくる第２段階とを含む。
【００３７】
液体を噴射するステップは、ノズル１８により液体を噴射するステップになる。噴射液２６は、所定の時間の間、決まった量の液体をフロントガラスワイパーブレード１４の側面に沿って噴射するように形成される。
【００３８】
図３には、フロントガラスワイパーブレード１４をモータで駆動するための補完要素や部品、および噴射ノズル１８に接続されたパイプ２４に洗浄液を加圧して供給する補完要素や部品と共に図１のワイパーシステム１０の部品や要素が示されている。
【００３９】
特に車両のバッテリーの例として電源３０が示されている。
【００４０】
また、各駆動アーム１６に関して往復拭い取り動作の駆動をする電気モータ３２も概略的に示されている。電気モータ３２への電力供給および電気モータ３２の制御は、制御電子回路３４により行われる。
【００４１】
あるいは、１つの駆動モータ３２を２本のフロントガラスワイパー１１に共有させることもできる。駆動モータ３２は、リンク機構等により片方または両方の駆動アーム１６に接続される。
【００４２】
窓の洗浄液の貯蔵槽３６も示されている。窓洗浄用ポンプと呼ばれる電気ポンプ３８により貯蔵槽３６から窓の洗浄液がくみ上げられる。
【００４３】
窓洗浄用ポンプ３８を駆動する電気モータＭへの電力供給および電気モータＭの制御は、制御電子回路３４により行われる。
【００４４】
窓洗浄用ポンプ３８の放出口は、パイプ２４に接続されている。
【００４５】
よって、モータＭに電力が供給されると、窓洗浄用ポンプ３８が、窓の洗浄液を加圧して放出し、噴射ノズル１８に供給する。
【００４６】
このように窓洗浄用ポンプ３８を動作させることにより、停止段階中に、または上方の外側に向かう段階の開始時に、洗浄液噴射ステップが開始されてもよい。
【００４７】
噴射ステップは、フロントガラスワイパーブレード１４が上方の外側に向かい、フロントガラス１２の外側の面に噴射された液体をすぐに擦り取り拭き取る第１段階が終わるまで、または途中まで継続する。
【００４８】
一方、フロントガラスワイパーブレード１４が下方に戻ってくる段階に入った後は、この段階の最後までまたは途中までに関わらず、特に視界が悪くなるという理由から、噴射ステップが継続されるまたは実行されることは望ましくない。
【００４９】
実際、このような状況では、窓の洗浄液がフロントガラスワイパーブレード１４より「上方で」フロントガラス１２の外側の面の全体に直接噴射されるが、この液体は下方に戻っている段階のフロントガラスワイパーブレードによって擦り取られ拭き取られることはない。
【００５０】
よって、各噴射ステップを、実質的に１回以上連続して上方の外側に向かう段階を行う間においてのみ行い、フロントガラスワイパーブレードが下方に向かって拭い取りながら戻ってくる段階においては、洗浄液の噴射を中断する、または開始しないことが望ましい。
【００５１】
このような動作を実現するために、本発明は、連続した上方の外側に向かう段階と下方に戻ってくる段階とを検知し、往復拭い取り動作中にフロントガラスワイパーブレードの加速度の変化を分析することにより拭い取り方向の転換を検知することを提案する。
【００５２】
実際、図７および図８に示されているように、２つの連続した段階からなる拭き取りサイクル中、速度はゼロから始まった後、増加し（上方の外側に向かう段階では通常正の値をとる）、その後減少し、上方の最も高い位置で再びゼロになり、ここから反対に負の値として増加し、そして減少した後、下方の最も低い位置で再びゼロに戻るということを繰り返す。
【００５３】
図８に示されている速度変化および速度転換は、図７に示されている加速度の変化に関連する。
【００５４】
これらの変化を検知するために、本発明は、フロントガラスワイパー１１の瞬間加速度を示す信号を出力する加速度センサＣＡを少なくとも１本のフロントガラスワイパー１１に取り付けることを提案する。
【００５５】
この様子は図４に概略的に示されている。図４には、モジュール４０が示されており、モジュール４０は、フロントガラスワイパーブレード１４に固定され、加速度計および／またはジャイロスコープ等の加速度センサＣＡを収容している。
【００５６】
モジュール４０は、電源３０に接続されており、加速度センサＣＡは、概略的に示されているように、窓洗浄用ポンプ３８のモータＭへの電力供給を制御する継電器Ｒに接続されている。
【００５７】
ここでは、モジュール４０は、窓洗浄用ポンプ３８への電力供給を制御する回路ＣＰも一体化している。
【００５８】
よって、「Ａｒｄｕｉｎｏ（アルデュイーノ）」タイプのマイクロコントローラ等の制御回路が、加速度センサＣＡからの信号を受け取り分析することにより、フロントガラスワイパーブレード１４つまりフロントガラスワイパー１１が上方に向かっているか下方に向かっているかを推定し、上方の外側に向かっている段階以外では継電器Ｒが窓洗浄用ポンプ３８のモータＭに電力を供給しないように、そして下方に戻ってくる段階では継電器Ｒを遮断するように継電器Ｒを制御する。
【００５９】
この制御は、ドライバーがフロントガラスへの噴射を行うために車内にある制御装置を用いて行う操作、例えば制御コモド（control comodo）の延長操作等から独立したものである。
【００６０】
図７および図８に概略的に示されているように、電力供給の時間長「Ｄ」は、上方の外側に向かう段階の時間長より短くてもよい。これにより、上方に向かう段階中に、噴射された液体を表面から全て確実に拭き取り除去することで、「ウォータープルバック（液戻り）」として知られている現象の発生を防ぐことができる。
【００６１】
変形例（図示せず）として、
−加速度センサは駆動アーム１６によって保持されてもよく、
−２本のフロントガラスワイパー１１が同じ動きをせず、噴射装置を独立して制御する必要がある場合、各ワイパーに加速度センサが取り付けられてもよく、
−制御回路は、加速度センサから独立していてもよく、例えば車両に搭載され、特に窓洗浄用ポンプ３８への電力供給を制御する制御電子回路３４に一体化され、有線または無線接続により加速度センサに接続されてもよく、
−各噴射装置は、フロントガラスの外側の面の特定の領域に窓の洗浄液を噴射するのに適した任意の設計であってもよく、
−各噴射装置は、例えば噴射ノズル１８の形であってもよく、フロントガラスワイパー１１（フロントガラスワイパーブレード１４または駆動アーム）によって保持されても、車両の動かない部分に据え付けられてもよい。
【００６２】
図５には、図３に示されているワイパーシステム１０に類似しているが、よく知られているように噴射ノズル１８が車両の動かない部分、例えばフロントガラス１２の最下部やボンネットに据え付けられているという点で実質的に異なっているワイパーシステム１０が示されている。
【００６３】
図６に概略的に示されているように、加速度センサＣＡおよび関連する制御回路ＣＰにより液体の噴射を制御するという本発明の教示を実施する際に、このようなワイパーシステムの設計および据え付けを変更することができる。
【００６４】
この目的のために、液体を噴射するための複数の孔を有する噴射ノズル１８等を備えるフロントガラスワイパーブレード１４を各駆動アームに取り付けるために各フロントガラスワイパーブレードを取り替え、このようなフロントガラスワイパーブレード１４を、予め「固定された」噴射ノズル１８（図５）に供給するための窓洗浄用ポンプ３８に対してパイプ２４等により接続する必要がある。
【００６５】
図４のワイパーシステムの場合は、フロントガラスワイパーブレード１４または駆動アーム１６に、加速度センサＣＡが取り付けられる。
【００６６】
さらに、拭い取り方向に応じてポンプによる噴射装置への供給を制御する回路ＣＰが車両に取り付けられる。この回路ＣＰは加速度センサＣＡに接続され、往復拭い取り動作中の駆動アームまたはフロントガラスワイパーのフロントガラスワイパーブレードの加速度の値を示す信号が加速度センサＣＡから回路ＣＰに送られる。
【００６７】
さらに、加速度センサＣＡと制御回路ＣＰは、一般的なモジュール４０に一体化されてもよい。
【００６８】
上記の様に、窓洗浄用ポンプ３８の駆動モータＭへの電力供給を制御する継電器Ｒが、車両に取り付けられ、制御回路ＣＰに接続される。
【図１】
2019011050.tif 000003
【図２】
2019011050.tif 000004
【図３】
2019011050.tif 000005
【図４】
2019011050.tif 000006
【図５】
2019011050.tif 000007
【図６】
2019011050.tif 000008
【図７】
2019011050.tif 000009
【図８】
2019011050.tif 000010
【外国語明細書】
2019011050000001.pdf